(57)【要約】【課題】ボウル部の清浄性を向上、維持させるとともに、オゾン水、電解水などの機能水を付与することによる使用者への危険をあらかじめ回避する方策を採った水洗式大便器を提供すること。【解決手段】溜水を溜めるボウル部と、前記ボウル部へ洗浄水を吐出する洗浄水吐出部とを有する水洗式大便器において、前記ボウル部へ機能水を吐出する機能水吐出部と、前記機能水吐出部から前記機能水を吐出する吐出時期を制御する吐出制御部と、を備えることを特徴とする。【選択図】　図１
2004092278.tif 000002
【特許請求の範囲】
【請求項１】
溜水を溜めるボウル部と、前記ボウル部へ洗浄水を吐出する洗浄水吐出部とを有する水洗式大便器において、
前記ボウル部へ機能水を吐出する機能水吐出部と、前記機能水吐出部から前記機能水を吐出する吐出時期を制御する吐出制御部と、を備えることを特徴とする水洗式大便器。
【請求項２】
前記機能水吐出部が機能水を噴霧状に吐出するための機能水噴霧部を備えることを特徴とする請求項１記載の水洗式大便器。
【請求項３】
前記機能水噴霧部が噴霧状態を変化させる噴霧状態可変部を備えることを特徴とする請求項２記載の水洗式大便器。
【請求項４】
人体を検知して便蓋を自動的に開閉する自動開閉機構部付き便蓋を備えた便座と、溜水を溜めるボウル部と、前記ボウル部へ洗浄水を吐出する洗浄水吐出部と、前記ボウル部へ機能水を吐出する機能水吐出部と、を備えた水洗式大便器であって、
前記機能水吐出部からの前記機能水を吐出する吐出時期を制御する吐出制御部と前記自動開閉機構部とを連動するための連動制御部を備えたことを特徴とする水洗式大便器。
【請求項５】
前記洗浄水吐出部が前記ボウル部の後部上端に設けた開口部であり、前記ボウル部の上部周縁のリム部内側面を前記開口部から吐出される洗浄水の導水路とし、前記リム部内側面が前記洗浄水があふれ出ることを防止するためのあふれ防止形状をなしていることを特徴とする請求項１乃至４いずれか記載の水洗式大便器。
【請求項６】
前記機能水吐出部が洗浄水を電気分解する電解槽と、前記電解槽から排出される電解水を前記ボウル部へ吐出する電解水吐出部とからなることを特徴とする請求項１乃至５いずれか記載の水洗式大便器。
【請求項７】
前記機能水吐出部が前記洗浄水吐出部の上流側に配置され、前記機能水と前記洗浄水と合流して前記洗浄水吐出部から吐出することを特徴とすることを特徴とする請求項１乃至６いずれか記載の水洗式大便器。
【発明の詳細な説明】
【０００１】
【発明の属する技術分野】
本発明は、ボウル部にオゾン水、電解水等の機能水を吐出する機能水吐出手段を備えた水洗式大便器に関する。
【０００２】
【従来の技術】
従来、オゾン水を水洗便器に吐出するものとして特許文献１がある。これを詳述すると以下の通りである。
図１０は従来の小便器の機器室を示す縦断面図で後述するような人体検知センサー、フラッシュバルブなどが配置されている。また、図１１は従来の小便器の全体構成を示す概略図で、小便器本体と、その上流側に位置するオゾン発生器、混合器から構成されている。
【０００３】
次に、このように構成されたオゾン水を小便器１へ供給する装置の動作態様を説明する。使用に際し、例えば、トイレ室へ入ると、カバー３の前面側上部に取り付けられた図示しない人体検知センサーがこれを検知してオゾン発生器１３をＯＮ動作させる。これにより、オゾン発生器１３は、オゾンガスを発生させると共に、発生したオゾンガスを循環させるなどしてそのオゾン濃度を予め高くする。このような状態から使用者が小便器本体１ａの前に所定時間以上連続して立つと、図示しない人体検知センサーが小用であると判断する。そして、使用者が小便器本体１ａから離れると、フラッシュバルブ４とオゾン発生器１３とオゾン混合器１４とへこれを動作させるべく信号を出力する。これにより、フラッシュバルブ４がフラッシュ動作を開始し、所定時間の間、その主弁を開いて水道水を小便器本体１ａのスプレーダ室１１と分岐水栓１２を介してオゾンの混合器１４とへ供給を始める。
これと同時に、オゾン発生器１３では予め高濃度に生成しておいたオゾンガスを混合器１４へ供給する。
【０００４】
高濃度のオゾンガスは、オゾン供給管１３ａからオゾン混合器１４へエゼクター方式等により供給され、前記水道水と混合する。この混合により、ガス化されたオゾンは水道水の中へ溶解し、高濃度のオゾン水となる。オゾン水は、分岐管１４ｂを介して給水管１０へ戻され、スプレーダー室１１へ供給される。そして、小便器本体１ａの便鉢洗浄に用いられる。オゾン混合器１４において、水の中へ溶解し得なかった余剰オゾンは、図示しない気液分離装置及び回収管１３ｂを介してオゾン発生器１３へ回収され、再利用に供される。
【０００５】
このようにして高濃度のオゾン水による小便器本体１ａの洗浄が行われるので、オゾンが本来的に有する優れた殺菌、防臭、防汚、尿石を含む有機化合物の分解等が得られる。しかも、オゾンガスの濃度が高濃度であるため、オゾン水の洗浄能力は、通常のオゾン水の場合よりも高く、トータル的なオゾン水による洗浄時間を短くした場合であっても、十分な殺菌、防臭、防汚、尿石を含む有機化合物の分解を得ることができる。
従って、小便器１の洗浄開始後、直ぐにオゾン発生器１３及びオゾン混合器１４をＯＦＦ動作させた場合であっても、十分なオゾン水による洗浄効果を得ることができる。しかも、この場合、オゾン水を供給する配管類等の使用部材がオゾン水と接触する時間を少なくでき、その劣化を著しく軽減することが可能である。またオゾン発生器１３は、使用者がトイレ室に入室したことを検知してオゾンガスを生成するので、小便器本体１ａの前へ使用者が立った状態でのオゾンガスを生成している時間が短く、仮にオゾンガスが漏れ出たとしてもその影響を小さくでき、人体に対する安全性を確立することが可能である。
【０００６】
【特許文献１】
特開平１１−２４７２５８号公報
【０００７】
【発明が解決しようとする課題】
上記したように小便器では、オゾン水などの機能水の効果を有効に発揮し、かつ使用者に対する安全性も確立されてその防汚性能、清浄性能を発揮していた。しかしながら、従来の水洗式大便器では溜水をため置くためボウル部の形状が小便器の場合と異なり非常に複雑な形状をしているなどの理由から有効な方策がなかった。
【０００８】
本発明は上記課題を解決するためになされたもので、水洗式大便器においてボウル部の清浄性を向上、維持させるとともに、オゾン水、電解水などの機能水を付与することによる使用者への危険をあらかじめ回避する方策を採った水洗式大便器を提供することを目的とする。
【０００９】
【課題を解決するための手段および作用・効果】
上記目的を達成するために請求項１に記載の本発明は、溜水を溜めるボウル部と、前記ボウル部へ洗浄水を吐出する洗浄水吐出部とを有する水洗式大便器において、前記ボウル部へ機能水を吐出する機能水吐出部と、前記機能水吐出部から前記機能水を吐出する吐出時期を制御する吐出制御部と、を備えることを特徴とする。
吐出制御部によりオゾン水、電解水などの各機能水の吐出形態、機能水の種類などに応じて吐出時期の制御などが可能となるので、清浄効果の最適化を図られることはもちろん人体に対する安全性も向上する。
【００１０】
本発明の好ましい態様としては、前記機能水吐出部が機能水を噴霧状に吐出するための機能水噴霧部を備えるようにする。
そうすることにより、複雑なボウル部の曲面に対して少ない水量で、全体に行き渡らせることができるので機能水を少量しか必要とせず、機能水が人体に対して何らかの影響を有する場合には、その影響度を下げられるので安全性が高まる。
【００１１】
また、本発明の好ましい態様としては、前記機能水噴霧部が噴霧状態を変化させる噴霧状態可変部を備えるようにする。
便器毎にボウル部の形状は様々であり、それに起因する汚れの激しい場所も便器毎に異なるが、前記噴霧状態可変部によりそれぞれの便器に対し、汚れの激しいと思われる場所に多量に噴霧させるなど設計の自由度が向上する。
【００１２】
また、請求項４に記載の本発明は、人体を検知して便蓋を自動的に開閉する自動開閉機構部付き便蓋を備えた便座と、溜水を溜めるボウル部と、前記ボウル部へ洗浄水を吐出する洗浄水吐出部と、前記ボウル部へ機能水を吐出する機能水吐出部と、を備えた水洗式大便器であって、前記機能水吐出部からの前記機能水を吐出する吐出時期を制御する吐出制御部と前記自動開閉機構部とを連動制御するための連動制御部を備えたことを特徴とする。
そうすることにより、機能水吐出部からの機能水吐出時に便蓋を閉めることが可能となり、人体に機能水が触れる確率が極めてなくなり、著しく安全性が向上する。また便蓋によりボウル部外に機能水が向かうことがなくなるので清浄性能の向上にもつながる。
【００１３】
本発明の好ましい態様としては、前記洗浄水吐出部が前記ボウル部の後部上端に設けた開口部であり、前記ボウル部の上部周縁のリム部内側面を前記開口部から吐出される洗浄水の導水路とし、前記リム部内側面が前記洗浄水があふれ出ることを防止するためのあふれ防止形状をなしているようにする。
そうすることにより、洗浄水の残水たれ箇所が減るため、洗浄水吐出後に機能水を吐出する場合などにボウル部にかけられた機能水を残水により洗い流すことがなくなる。よって機能水の清浄性能を安定して発揮させることが可能となる。また残水箇所自体も減ることにより、清浄性能向上につながる。
【００１４】
また、本発明の好ましい態様としては、前記機能水吐出部を洗浄水を電気分解する電解槽と、前記電解槽から排出される電解水を前記ボウル部へ吐出する電解水吐出部からなるようにする。
そうすることにより、機能水として電解水を用いることができ残留性が少なく、薬剤などを利用した物ではないため人体に対する安全性が極めて高く維持しつつ、ボウル部の清浄性向上が図られる。
【００１５】
また、本発明の好ましい態様としては、前記機能水吐出部が前記洗浄水吐出部の上流側に配置され、前記機能水と前記洗浄水と合流して前記洗浄水吐出部から吐出するようにする。
そうすることにより、ボウル部における吐出口の数を減らすことができ、洗浄水の流れが滞ったり、汚れなどが溜まりやすい異形状部分がなくなるので、防汚性向上となる。また、残水たれ箇所の低下にもつながりボウル部の防汚性が高まる。
【００１６】
【発明の実施の形態】
以下、図面に基づいて発明の内容を説明する。
図１は本発明に係る第１実施例の水洗式大便器の概略斜視図、図２は図１の水洗式大便器のＡ−Ａ線における断面概略図、図３は第１実施例の水洗式大便器の洗浄シーケンスのフロー図である。
【００１７】
図１に示すように水洗式大便器２０は床９０に配置され、溜水２１をためおき可能なボウル部２２を備え、そのボウル部２２の後方上部には後述する機能水を吐出する機能水吐出部３２を一箇所備えている。
また、図２に示すようにボウル部２２の上部には上部縁に沿って小穴３０が複数穿孔されており汚物をボウル部２２からトラップ部２３を介して外部へ排出するのに用いる洗浄水が吐出する洗浄水吐出部３１を形成している。
また、ボウル部２２の後方上部にある機能水吐出部３３の上流側には、図示しない供給源から流入する水道水などの通路になる給水管路９１が形成されている。なおその給水管路９１には先端部に機能水吐出部３２を備え、途中にはオゾン水生成器１００が配置されるとともに、発生されるオゾン水の吐出時期を制御する吐出制御部３３が備えられている。
【００１８】
ここで本実施例で用いる機能水、すなわちオゾン水の生成過程について説明する。オゾン水生成器１００は放電している図示しない電極間に空気を通過させることで放電による化学作用を得、オゾン化されたガスを発生させる。その後オゾン化されたガスが水道水中へ吹き込まれることで溶解されオゾン水を生成することとなる。
【００１９】
次に、水洗式大便器２０の洗浄動作について図３に基づいて説明する。
水洗式大便器２０の洗浄操作がなされると、その洗浄操作の入力信号の指示により図示しない洗浄水供給源より洗浄水が洗浄水吐出部である複数の小穴３０よりボウル部２２に向けて吐出される。ボウル部２２に吐出された洗浄水は、ボウル部２２の洗浄を行いながらトラップ部２３に洗浄水を満たすことでサイホンを発生させ、溜水及び溜水中にある汚物をトラップ部の外へ排出する。
ボウル部２２の溜水及び溜水中にある汚物の排出後も小穴３０から洗浄水は供給され、洗浄前のように所定位置まで溜水を確保して洗浄水の吐出を終了する。洗浄操作がなされてから洗浄水の吐出を終了するまでの時間はあらかじめ設定することができ、本実施例の場合は４０秒である。
【００２０】
次に、洗浄操作がなされて４０秒後にオゾン水生成器１００に向けて供給された水道水にオゾンを吹き込んで生成されたオゾン水を機能水吐出部３２を介してボウル部２２へ吐出させる。なお本実施例ではオゾン水はボウル部２２の後部上端から吐出され、ボウル部２２の壁面に沿って適量を垂下させながら旋回し、ボウル部２２の全面に均等にオゾン水を付与することが可能となる。
【００２１】
この第１実施例では、吐出制御部３３により洗浄水の吐出完了時間である４０秒後にオゾン水の吐出を所定時間行う。したがって、オゾン水の吐出時期を制御するので、清浄効果の最適化を図られることはもちろん人体に対する安全性も向上する。
【００２２】
また、ここでオゾン水の効果について説明する。オゾン水に含まれるオゾンは、容易に第３原子を分離するため自然界ではフッ素に次ぐ強い酸化力を持った活性酸素種であり、この化学的に活性な性質を利用して殺菌、脱臭、防汚、有機化合物の分解などの効果が得られる。よって本実施例のように洗浄後にボウル部２２にオゾン水を付与することで、細かな汚物の分解や防汚効果を発揮するので、ボウル部２２の清浄性が長期間に亘って保持される。
【００２３】
なお本実施例では、機能水であるオゾン水の吐出パターンについて１種類の洗浄パターンしか示さなかったが、洗浄水吐出後に所定間隔で前記オゾン水を吐出させる構成としても良いし、使用者が極端に少ないと思われる時間帯たとえば夜に吐出させても良い。
また、ボウル部の壁面に沿ってオゾン水が流れ出るので人体への接触の危険性も少ないので、洗浄水が吐出される前にオゾン水が吐出される構成としても差し支えない。
なお、これらのパターンはいずれも吐出制御部３３によってなされるのは言うまでもない。
【００２４】
次に、本発明に係る第２実施例の水洗式大便器について説明する。図４は水洗式大便器の側面透視概略図、図５は図４に示す水洗式大便器の概略斜視図である。図６は本実施例で用いる機能水吐出部の概略構成図である。
第１実施例による水洗式大便器と同一又は相当する構成要素には同一符号を付して詳細な説明を省略する。
【００２５】
図４及び図５に示す水洗式大便器２０は、第１実施例の場合と異なり便座、便蓋まで含めて一体で構成されている。
すなわち本実施例の水洗式大便器２０は、溜水２１を溜めおくボウル部２２と、そのボウル部２２の後方に一体的に備えられたトラップ部２３とからなっている。また、ボウル部２２の上部には便座２４と一体に形成された便蓋２５が載置しており、側方には便器使用者の有無を検知する人体検知部５１を備えた自動開閉機構部５０が設けられ、人体検知部５１により人体を検知して便蓋を開閉させる構成としている。
さらに、ボウル部２２には後述する機能水吐出部３２を備えており、前述した自動開閉機構部５０と連動するための連動制御部６１を設けている。
連動制御部６１には図中破線で示す信号線を備えており、各信号線はそれぞれ自動開閉機構部５０、機能水吐出部３２と接続されている。
動作としては、自動開閉機構部５０の動作状況が連動制御部６１に伝わるようになっており。また、その信号によって所定の処理後、機能水吐出部３２へ所定の動作を起こさせるための信号が発信される。
すなわち、連動制御部６１では自動開閉機構部５０の動作状況に応じて機能水吐出部３２の制御ができる構成となっている。詳細については後述する。
【００２６】
次に、本実施例について図４及び図５を用いて実際の動作について説明する。まず、図４に示す水洗式大便器２０は便蓋２５が閉じた状態となっている。そこへ便器使用者が近づくと人体検知部５１が使用者が居ることを感知し、人体検知部５１からの感知信号を受けて自動開閉機構部５０が作動し、図中点線で示すような便蓋２５が開の状態になり便器の使用が可能な状態となる。
【００２７】
その後使用者が便座２４に着座し用便後、図示しない操作部を操作することによりボウル部２２へ洗浄水が供給されボウル部２２内の汚物が溜水２１とともに外部へ排出される。
【００２８】
汚物が外部へ排出された後、使用者が水洗式大便器２０から離れると、人体検知部５１が使用者が居なくなったことを感知するとともに、自動開閉機構部５０により便蓋２５を図４にて実線で示すような閉止した状態とさせる。
【００２９】
便蓋２５の閉止後、閉止したことを示す信号が連動制御部６１へ発信され、連動制御部６１内の図示しない回路により機能水吐出部に向けて機能水を吐出させる命令信号が発信される。そうすると、後述する機能水吐出部３２より機能水が吐出されボウル部２２内に付与される。機能水吐出部３２からの機能水吐出時に便蓋２５が閉められた状態となるため人体に機能水が触れる確率が極めてなくなり、著しく安全性が向上する。また便蓋によりボウル部外に機能水が向かうことがなくなるので清浄性能の向上にもつながる。
【００３０】
次に、前述した機能水吐出部３２について図６を用いて説明する。
図６に示す機能水吐出部３２は図５において示すように、ボウル部２２の後部に備え付けられており連動制御部６１と連結している。
主要な構成要素としては、洗浄水の電解を行う電解槽４１、その電解槽４１から吐出される電解水をボウル部２２内に噴霧する機能水噴霧部としての働きをする超音波振動子６２、および前記電解槽４１と超音波振動子６２を制御し噴霧状態を種々に可変可能である噴霧状態可変部３５を備えている。
【００３１】
更に詳細な動きとともに説明する。
図中白抜き矢印で示す方向に管路１１０を通過し、電解槽４１内に被電解水が流入する。すると、電解槽４１内の図示しない電極間を流れる被電解水が電解され次亜塩素酸濃度を高められた状態で３本の吐出管路である電解水吐出部４０より吐出される。
電解水吐出部４０より吐出された電解水は、超音波振動子６２の裏面に至り、超音波振動子６２の作用により、吸い上げられ図中点線で示すようにボウル部２２内に向けて噴霧されボウル部内に付与される。
【００３２】
噴霧の状態は噴霧状態可変部３５により設定が可能となる。つまり、噴霧状態可変部３５により電解槽用印可電圧伝達路６３を介して電解槽４１内の図示しない電極間に与える電圧を変えることにより電解能力を変更可能なので電解水の性状を強力にしたり、場合によっては弱めたりすることができる。
また、超音波振動子用印可電圧伝達路６４を介して超音波振動子６２へ与える電圧を変化させることができ、超音波振動子６２の動作を変えることができるので電解水の噴霧時の粒径、噴霧量などを調整することができる。
【００３３】
なお、ここで言う電解水は、電解を行いアルカリ水と酸性水の分画は行わなずに生成され高濃度な次亜塩素酸濃度を有した液体である。よって、アルカリ水のみ、酸性水のみを使用する時と異なり、非使用水が発生しないので、その処理に対する構成なども必要としない。
【００３４】
また、本実施例では超音波振動子を用いて機能水を霧化させているが、スリット形状が可変できるスリット形状である噴霧ノズルを用いることによっても同様な効果が得られる。
【００３５】
以上のことから下記する効果が発揮される。
すなわち、ボウル部の曲面に対して少ない水量で、全体に行き渡らせることができるので機能水を少量しか必要とせず、機能水が人体に対して何らかの影響を有する場合その影響度を下げ安全性が高まる。さらに部品点数小、吐出部のレイアウト自由度が向上する。
また、ボウル部の形状は様々であり、それに起因する汚れの激しい場所も便器毎に異なる。したがって噴霧状態可変部によりそれぞれの便器に対し、汚れの激しいと思われる場所に多量に噴霧させるなど設計の自由度が向上する。さらに、電解水であり、残留性がなく人体に対する安全性が極めて高い。
【００３６】
次に、本発明に係る第３実施例の水洗式大便器について説明する。
図７は水洗式大便器の上部概略図、図８は図７に示す水洗式大便器のボウル部上端部のＢ−Ｂ線での拡大断面図、図９はボウル部上端部の変形例を示す図である。第１実施例による水洗式大便器と同一又は相当する構成要素には同一符号を付して詳細な説明を省略する。
【００３７】
図７に示す水洗式大便器２０は、溜水２１をため置くボウル部２２の後部上端に洗浄水吐出部３１を１個配設している。また、水洗式大便器２０の後部には電解槽４２と、その電解槽４２からの電解水の吐出を制御する吐出制御部３３を配設している。
また、洗浄水吐出部３１と図示しない洗浄水供給源と連絡する通路１３０を設け、洗浄水吐出部３１の上流側で通路１３０から分岐した流入通路４３と流出通路４４を設け電解槽４２と連絡している。そして、流出通路４３の通路１３０と合流する部分を機能水吐出部３２としている。
なお、電解槽４２は内部に溶出型の殺菌性能を有する電極を備えており本実施例では電極として銀電極を用いている。
また、水洗式大便器２０の後部右側には後述する操作部７０を備えている。
【００３８】
次に、実際の洗浄動作について図７を用いて説明する。
使用者は用便後、後部右側の操作部７０を操作する。操作部７０からの信号が吐出制御部３３に伝達される。信号を受けた吐出制御部３３は太い白抜き矢印Ｘで示す信号を発信し図示しない洗浄水供給源より洗浄水を通路１３０を介して洗浄水吐出部３１より吐出させる。ボウル部２２後部より吐出された洗浄水は、ボウル部２２の壁面を矢印のように旋回しながら洗浄を行う。ボウル部２２を洗浄後溜水２１及び汚物とともに外部へ排出され、完全に汚物が排出された後、再び溜水確保のための洗浄水が洗浄水吐出部３１より吐出され、洗浄動作が完了する。
【００３９】
ここで、前述の溜水確保のための洗浄水が本実施例では機能水として吐出される。すなわち、通路１３０の上流側から供給された洗浄水が流入通路４３を介して電解槽４２に入り、電解槽を通過する過程で機能水である電解水が生成されて流出通路４４を通り、機能水吐出部１３０から通路１３０に吐出され洗浄水吐出部３１からボウル部２２に吐出する。
操作部７０の信号を受けた吐出制御部３３は、信号を受けた時刻から所定時間後に電解槽４２に電圧を付与する構成となっており、本実施例では汚物排出後の溜水確保のための洗浄水が通路１３０を通過する期間中に電解槽４２に電圧が付与され機能水として洗浄水吐出部３１より吐出される。
【００４０】
本実施例ではボウル部２２に配設した開口部は洗浄水吐出口３１のみであり、従来に比べて洗浄水の吐出口の数を減らすことが出来る。またその分、洗浄水の流れが滞ったり、汚れなどが溜まりやすい異形状部分がなくなるので、防汚性向上にもつながる。
【００４１】
また、本実施例ではボウル部における吐出部を１箇所とし清浄性が特に優れたタイプを示しているが、ボウル部上端後部の右側に洗浄水吐出部、左側に機能水吐出部を備えた構成も考えられる。その場合、洗浄において洗浄水と機能水を交互に流し洗浄に独自性を持たせたり、右回り、左回り両方の旋回方向を備えさせることで、一方向からでは落としにくかった汚れも取れるような効果も発揮する。
【００４２】
なお、前記第３実施例ではボウル部２２の上部外縁は図８に示すような断面構造となっている。すなわち、図中塗りつぶしで示される洗浄水１２０が通過する導水部８０は、略水平な棚部８３とボウル部２２の内側にオーバーハング状に湾曲した形状の湾曲面部８４と便座が載置する便座載置部８２とから構成されるあふれ防止部８１となっている。
図中塗りつぶしで示す洗浄水１２０は棚部８３上を移動しつつ、順次図中白抜き矢印に示すようにボウル部２２下部側へ適量が垂下していき、ボウル部の全面を洗浄する。
上記のような水洗式大便器においては、洗浄水からの残水たれ箇所となる可能性の場所である吐出部が大幅に減るため、防汚性能が一段と向上される。
【００４３】
また、図９にボウル部２２の上部外縁の構造の変形例を示す。
洗浄水１２０が通過する部分は、下方に向けて開口部１４０を備える形状のあふれ防止８１が備えられており、図８に示す構造以上にボウル部の外への洗浄水のあふれ防止がなされる。
【図面の簡単な説明】
【図１】本発明に係る第１実施例の水洗式大便器の概略斜視図。
【図２】図１に示す水洗式大便器のＡ−Ａ断面概略図。
【図３】第１実施例の水洗式大便器の洗浄シーケンスのフロー図。
【図４】本発明に係る第２実施例の水洗式大便器の側面透視概略図。
【図５】図４に示す水洗式大便器の概略斜視図。
【図６】第２実施例の水洗式大便器の機能水吐出部の概略構成図。
【図７】本発明に係る第３実施例の水洗式大便器の上部概略図。
【図８】図７に示す水洗式大便器のボウル部上端部のＢ−Ｂ拡大断面図。
【図９】ボウル部上端部の拡大断面図の変形例を示す図。
【図１０】従来の小便器の機器室を示す縦断面図。
【図１１】従来の小便器の全体構成を示す概略図。
【符号の説明】
１…小便器
１ａ…小便器本体
３…カバー
４…フラッシュバルブ
１０…給水管
１１…スプレーダ室
１２…分岐水栓
１３…オゾン発生器
１３ａ…オゾン供給管
１３ｂ…回収管
１４…オゾン混合器
１４ｂ…分岐管
２０…水洗式大便器
２１…溜水
２２…ボウル部
２３…トラップ部
２４…便座
２５…便蓋
３０…小穴
３１…洗浄水吐出部
３２…機能水吐出部
３３…吐出制御部
３４…機能水噴霧部
３５…噴霧状態可変部
３６…超音波振動子
４０…電解水吐出部
４１、４２…電解槽
４３…流入通路
４４…流出通路
５０…自動開閉機構部
５１…人体検知部
６１…連動制御部
６２…超音波振動子
６３…電解槽用印可電圧伝達路
６４…超音波振動子用印可電圧伝達路
７０…操作部
７１…銀イオン溶出電解槽
８０…導水部
８１…あふれ防止部
８２…便座載置部
８３…棚部
９０…床
９１…給水管路
１００…オゾン水生成器
１１０…管路
１２０…洗浄水
１３０…通路
１４０…開口部
【図１】
2004092278.tif 000003
【図２】
2004092278.tif 000004
【図３】
2004092278.tif 000005
【図４】
2004092278.tif 000006
【図５】
2004092278.tif 000007
【図６】
2004092278.tif 000008
【図７】
2004092278.tif 000009
【図８】
2004092278.tif 000010
【図９】
2004092278.tif 000011
【図１０】
2004092278.tif 000012
【図１１】
2004092278.tif 000013